(57)【要約】【課題】容易により適切な止水ができる施工性に優れた斫り部の止水構造を提供する。【解決手段】建物の外壁を斫った斫り部の止水構造であって、前記外壁より外側に張り出して前記斫り部に取り付けられる張出部材と、前記外壁に当接されて前記張出部材に固定される外壁当接部材と、前記外壁当接部材に固定され、前記張出部材の上方にて前記外壁との間にシール材を保持するシール材保持部を形成し、前記斫り部を覆うカバー部材と、を有する。【選択図】図３
2018066219.tif 000002
【特許請求の範囲】
【請求項１】
建物の外壁を斫った斫り部の止水構造であって、
前記外壁より外側に張り出して前記斫り部に取り付けられる張出部材と、
前記外壁に当接されて前記張出部材に固定される外壁当接部材と、
前記外壁当接部材に固定され、前記張出部材の上方にて前記外壁との間にシール材を保持するシール材保持部を形成し、前記斫り部を覆うカバー部材と、
を有することを特徴とする斫り部の止水構造。
【請求項２】
請求項１に記載の斫り部の止水構造であって、
前記張出部材に対する前記外壁当接部材の見込み方向の位置を調節可能な調節部を有することを特徴とする斫り部の止水構造。
【請求項３】
請求項２に記載の斫り部の止水構造であって、
前記外壁当接部材は、前記張出部材に重ねて配置され、
前記調節部は、前記外壁当接部材に設けられ前記見込み方向に長く形成されたビス貫通部を貫通したビスが、前記張出部材に設けられたビス螺合部に螺合されて構成されていることを特徴とする斫り部の止水構造。
【請求項４】
請求項３に記載の斫り部の止水構造であって、
前記張出部材には、前記ビス螺合部が、前記外壁より外側に配置され、
前記ビス螺合部が設けられる領域と前記外壁より内側の領域を含む他の領域とを前記外壁より外側で仕切る仕切壁が設けられていることを特徴とする斫り部の止水構造。
【請求項５】
請求項１乃至請求項４のいずれかに記載の斫り部の止水構造であって、
前記外壁当接部材は、前記斫り部における左右方向の幅より大きく形成されており、前記斫り部の左右方向における両側にて前記外壁に当接されることを特徴とする斫り部の止水構造。
【発明の詳細な説明】
【技術分野】
【０００１】
本発明は、建物の外壁を斫った斫り部の止水構造に関する。
【背景技術】
【０００２】
建物の外から躯体に部材を取り付ける際には、外壁を斫る場合がある。外壁を斫った部位に、部材を取り付けるときの止水構造としては、たとえば、外壁を斫った斫り部の上に位置する外壁に斫り部を覆うカバー部材をビス止めし、ビス止めした部位の上方にてカバー部材に設けた部位と外壁との間をシール材で止水する止水構造が知られている（例えば、特許文献１参照）。
【先行技術文献】
【特許文献】
【０００３】
【特許文献１】特開２０１５−４８６４５号公報
【発明の概要】
【発明が解決しようとする課題】
【０００４】
上記止水構造の場合には、斫り部を覆う目的で取り付けるカバー部材が外壁にビス止めされているので、万一、ビスの上方のシールが損傷または劣化した場合には、ビスを伝って建物の内部に水が浸入する虞がある。また、カバー部材を、外壁の斫り部にビス止めし、ビス止めした部位の上側に配置されるカバー部材に設けた部位と外壁との間をシール材で止水する場合には、カバー部材が外壁に固定されていないので、ビス止めした部位の上方に配置されるカバー部材の部位と外壁との距離の調節が必要となり作業が繁雑であるという課題がある。
本発明は、かかる課題に鑑みてなされたものであり、その目的とするところは、止水性及び施工性に優れた斫り部の止水構造を提供することにある。
【課題を解決するための手段】
【０００５】
かかる目的を達成するために本発明の斫り部の止水構造は、建物の外壁を斫った斫り部の止水構造であって、前記外壁より外側に張り出して前記斫り部に取り付けられる張出部材と、前記外壁に当接されて前記張出部材に固定される外壁当接部材と、前記外壁当接部材に固定され、前記張出部材の上方にて前記外壁との間にシール材を保持するシール材保持部を形成し、前記斫り部を覆うカバー部材と、を有することを特徴とする斫り部の止水構造である。
【０００６】
このような斫り部の止水構造によれば、斫り部を覆うカバー部材は、斫り部に取り付けられている張出部材に固定される外壁当接部材に固定されており外壁当接部材は外壁に当接されているので、カバー部材を、外壁を基準とした位置に配置することが可能である。このため、張出部材に固定されている外壁当接部材にカバー部材を取り付けるだけで、カバー部材を外壁に対して所望の位置に配置して、所望のシール材保持部を形成することが可能であり、外壁とカバー部材との間をより確実にシールすることが可能である。よって、止水性及び施工性に優れた斫り部の止水構造を提供することが可能である。
【０００７】
また、外壁とカバー部材との間をシールするシール材の下方に張出部材が張り出しているので、たとえ、シール材が劣化等して漏水することがあったとしても張出部材により建物内に浸入することを防止することが可能である。このため、より止水性に優れた斫り部の止水構造を提供することが可能である。
【０００８】
かかる斫り部の止水構造であって、前記外壁当接部材は、前記張出部材に対する見込み方向の位置を調節可能な調節部を有することが望ましい。
このような斫り部の止水構造によれば、外壁当接部材の張出部材に対する見込み方向の位置を調節することにより、外壁の厚み、すなわち、外壁を斫った斫り部の深さが互いに異なる外壁であっても、外壁当接部材を外壁に当接させて張出部材に固定することが可能である。このため、汎用性に優れた斫り部の止水構造を提供することが可能である。
【０００９】
かかる斫り部の止水構造であって、前記外壁当接部材は、前記張出部材に重ねて配置され、前記調節部は、前記外壁当接部材に設けられ前記見込み方向に長く形成されたビス貫通部を貫通したビスが、前記張出部材に設けられたビス螺合部に螺合されて構成されていることが望ましい。
【００１０】
このような斫り部の止水構造によれば、外壁当接部材に見込み方向に長く形成されたビス貫通部、例えば、長孔や切り欠き等を設けるだけで容易に、且つ、安価に汎用性に優れた斫り部の止水構造を実現することが可能である。
【００１１】
かかる斫り部の止水構造であって、前記張出部材には、前記ビス螺合部が、前記外壁より外側に配置され、前記ビス螺合部が設けられる領域と前記外壁より内側の領域を含む他の領域とを前記外壁より外側で仕切る仕切壁が設けられていることが望ましい。
【００１２】
このような斫り部の止水構造によれば、ビスが螺合される螺合部は、外壁より外側にて外壁より内側の領域を含む領域と仕切壁により仕切られているので、たとえ、張出部材の上方にて外壁とカバー部材との間に設けられているシール材が劣化や損傷等により漏水したとしても、漏水した水がビス孔から浸入して内部に至ることを防止することが可能である。このため、より止水性に優れた斫り部の止水構造を提供することが可能である。
【００１３】
かかる斫り部の止水構造であって、前記外壁当接部材は、前記斫り部における左右方向の幅より大きく形成されており、前記斫り部の左右方向における両側にて前記外壁に当接されることが望ましい。
【００１４】
このような斫り部の止水構造によれば、外壁当接部材は、斫り部の左右方向における両側にて外壁に当接されるので、外壁当接部材を外壁の壁面に対して傾くことなく取り付けることが可能である。このため、外壁当接部材に固定されるカバー部材も外壁の壁面に対して適切な姿勢で適切な位置に配置される。このため、カバー部材と外壁との間隔が適切に空けられるので、より正確なシール材保持部が形成され、優れた止水性を備えることが可能である。
【発明の効果】
【００１５】
本発明によれば、止水性及び施工性に優れた斫り部の止水構造を提供することが可能である。
【図面の簡単な説明】
【００１６】
【図１】本実施形態に係る斫り部の止水構造が取付部に適用されている耐震補強フレームを示す正面図である。
【図２】本実施形態に係る斫り部の止水構造を示す縦断面図である。
【図３】図２におけるＡ部の拡大図である。
【図４】外壁当接部材の梁側の端部が外壁に当接されている状態を示す斜視図である。
【図５】外壁当接部材に設けられている切り欠き部を示す斜視図である。
【図６】図６（ａ）は、外壁を示す縦断面図であり、図６（ｂ）は、斫り部を示す縦断面図であり、図６（ｃ）は、斫り部を新たな防水シートにより覆った状態を示す縦断面図であり、図６（ｄ）は、張出部材が取り付けられた状態を示す縦断面図であり、図６（ｅ）は、上の横材が取り付けられた状態を示す縦断面図である。
【図７】図７（ａ）は、外壁当接部材の梁側の端が外壁に当接される前の状態を示す縦断面図であり、図７（ｂ）は、外壁当接部材の梁側の端が外壁に当接された状態を示す縦断面図であり、図７（ｃ）は、カバー部材が取り付けられた状態を示す縦断面図であり、図７（ｄ）は、斫り部の止水構造の施工が完了した状態を示す縦断面図である。
【図８】外壁を構成するモルタルの厚みが互いに異なる外壁に適用された斫り部の止水構造を示す縦断面図である。
【発明を実施するための形態】
【００１７】
以下、本発明の一実施形態に係る斫り部の止水構造について図面を参照して説明する。
本実施形態では、例えば図１、図２に示すような既存建物２の窓などの開口２１が設けられている位置に合わせて外側から躯体に取り付けられる耐震補強フレーム１の取付部に適用した例について説明する。本実施形態の耐震補強フレーム１は、既存建物２の躯体をなす基礎２ａと上階をなす２階の床を支持する梁２ｂとに取り付けられているが、本発明の止水構造は、耐震補強フレーム１の上部にて梁２ｂに取り付けられる部位に適用されている。
【００１８】
以下の説明においては、斫り部２０の止水構造をなす各部材が、取り付けられている状態において、既存建物２に向かって見たときに、上下となる方向を上下方向、左右となる方向を左右方向、奥行き方向を見込み方向として示す。耐震補強フレーム１の各部位であっても、また、斫り部２０の止水構造をなす各部材が単体の状態であっても、取り付けられた状態にて上下方向、左右方向、見込み方向となる方向にて方向を特定して説明する。また、見込み方向においては、既存建物２側を梁２ｂ側とし、既存建物２の外側を単に外側として説明する。
【００１９】
耐震補強フレーム１が取り付けられる耐震補強の対象となる既存建物２の外壁２２は、図６（ａ）に示すように、梁２ｂの外側に、木摺２ｃが設けられており、木摺２ｃの外側に防水シート２３及びラス（不図示）が重ねて張設されており、その上からモルタル２ｄが塗られている。
【００２０】
耐震補強フレーム１は、左右方向において互いに間隔を空けて上下方向に沿って配置される２本の縦材３と、２本の縦材３の上側及び下側にそれぞれ配置されて左右方向において２本の縦材３にわたるように設けられる２本の横材４とを矩形状に剛接合したラーメンフレームである。縦材３及び横材４は、いずれもアルミニウム製の押出成形部材であり、それぞれほぼ角筒状をなしている。矩形状に剛接合された耐震補強フレーム１は、下の横材４が固定金具７を介して既存建物２の基礎２ａに固定され、上の横材４は、既存建物２の梁２ｂに固定される。
【００２１】
図２、図３に示すように、上の横材４は、縦断面形状がほぼ矩形をなしており、水平な上面をなす上面部４ａから梁２ｂ側に延出された板状の延出部４ｂの先端が鉛直に立ち上がって梁２ｂに取り付けられる取付部４ｃと、取付部４ｃから梁２ｂ側に突出させて、後述する張出部材５と係合する係合部４ｄが設けられている。
【００２２】
既存建物２の外壁２２において取り付けの対象となる部位は、外壁２２をなすモルタル２ｄ及び木摺２ｃと、モルタル２ｄと木摺２ｃとの間に介在されているラス及び防水シート２３が左右方向に長い長方形状に斫られた斫り部２０である。斫り部２０は、図６（ｂ）に示すように、木摺２ｃ、ラス及び防水シート２３が斫られた部位から梁２ｂが露出しており、梁２ｂが露出している部位の周りを囲み、モルタル２ｄが斫られた部位の内側に、木摺２ｃの表面に設けられた防水シート２３及びラスが露出している部位が梁２ｂと段差を有して露出している。
【００２３】
本発明の斫り部２０の止水構造は、既存建物２の外壁２２より外側に張り出して斫り部２０に取り付けられる張出部材５と、外壁２２に当接されて張出部材５に固定される外壁当接部材６と、外壁当接部材６に固定され、張出部材５の上方にて外壁２２とともに当該外壁２２との間にシール材としてのシーリング材８を保持するシール材保持部２５を形成し、斫り部２０を覆うカバー部材９と、を有している。
本実施形態では、張出部材５が、耐震補強フレーム１を固定する際に、上の横材４を係合させて起立状態を維持させるためのアタッチメントをなしている。
【００２４】
張出部材５は、アルミニウム製の押出成形部材である。張出部材５は、既存建物２に取り付けられたときに外壁面２２ａに沿って、すなわちほぼ鉛直に配置される鉛直壁部５ａと、鉛直壁部５ａの上端側に設けられ外側に向かい全長にわたって張り出した張出部５ｂと、を有している。また、張出部材５を梁２ｂに固定するためのビス１０が挿通されてビス頭部１０ａが収容されるビス挿通部５ｃ、耐震補強フレーム１が取り付けられる際に上の横材４の係合部４ｄと係合するフック部５ｄが、鉛直壁部５ａの外側に設けられている。また、上の横材４を梁２ｂに固定するためのボルト１１は、係合部４ｄとフック部５ｄとが係合して形成されるボルト挿通部５ｅ及びビス挿通部５ｃとにそれぞれ挿通されるように構成されている。
【００２５】
張出部材５の張出部５ｂは、張出部材５が梁２ｂに取り付けられたときに、外壁２２の外壁面２２ａより外側まで突出する板状の部位である。張出部５ｂの上面は、鉛直壁部５ａから外壁２２の外壁面２２ａより外側まで、張り出している先端に向かって高さが低くなるように僅かな傾斜を有する傾斜部５ｆが設けられている。また、傾斜部５ｆより外側の平坦な面をなす平坦部５ｇには、先端側であって、左右方向の両端部側に位置させてそれぞれ外壁当接部材６を固定するビス１２が螺合されるビス螺合部５ｈが設けられており、ビス螺合部５ｈより鉛直壁部５ａ側に位置させて平坦部５ｇにおいてビス螺合部５ｈが設けられる領域と、傾斜部５ｆとこの傾斜部５ｆと繋がった平坦部５ｇの一部を含む領域とを仕切る仕切壁５ｉが上方に突出させて設けられている。すなわち、仕切壁５ｉは、外壁面２２ａより外側に設けられている。
【００２６】
外壁当接部材６は、アルミニウム製の押出成形部材であり、斫り部２０の左右方向の幅より広い幅を有し、図４に示すように、梁２ｂ側の端６ｅが外壁２２に当接されて張出部材５に固定される。外壁当接部材６は、張出部５ｂの下面に重ねて当接され水平に配置される板状の水平板状部６ａと、水平板状部６ａの外側に端から上方に延出されて板状をなす鉛直板状部６ｂとを有し、縦断面形状がＬ字状をなしている。
【００２７】
水平板状部６ａには、図５に示すように、見込み方向に沿って長く形成され、張出部材５のビス螺合部５ｈに螺合されるビス１２が貫通可能なビス貫通部としての切り欠き部６ｃが、水平板状部６ａの梁２ｂ側の端から設けられている。切り欠き部６ｃの左右方向の幅は、ビス螺合部５ｈに螺合されるビス１２の頭部１２ａの直径より狭く形成されている。また、鉛直板状部６ｂには、カバー部材９を固定するためのビス螺合部６ｄが設けられている。本実施形態においては、外壁当接部材６に設けられ見込み方向に長く形成された切り欠き部６ｃを貫通したビ１２スが、張出部材５に設けられたビス螺合部５ｈに螺合されて調節部が構成されている。
【００２８】
カバー部材９は、アルミニウム製の押出成形部材であり、長手方向に貫通する中空部９ａを有するカバー本体部９ｂと、カバー本体部９ｂの上に設けられ外壁当接部材６に固定される固定部９ｃと、固定部９ｃの上方に設けられて外壁２２との間を覆う覆い部９ｄと、を有している。
【００２９】
カバー本体部９ｂは、中空部９ａの縦断面形状が台形状をなしており台形の上底をなす部位（以下、上底部という）９ｅと下底をなす部位（以下、下底部という）９ｆとが平行をなし、上底部９ｅと下底部９ｆとの梁２ｂ側の端部同士は鉛直なカバー鉛直壁９ｇにより繋がっており、上底部９ｅと下底部９ｆとの外側の端部同士は、下方に向かってカバー鉛直壁９ｇとの間隔が広くなる傾斜面をなすカバー傾斜壁９ｈにより繋がっている。
【００３０】
固定部９ｃは、カバー鉛直壁９ｇと繋がって上方に延びており、カバー鉛直壁９ｇと同一平面を形成するように構成されている。固定部９ｃの梁２ｂ側の面に外壁当接部材６の鉛直板状部６ｂの外側の面が当接される。固定部９ｃには、鉛直板状部６ｂに設けられたビス螺合部６ｄに螺合されるビス１３が貫通する貫通孔(不図示)が設けられている。
【００３１】
固定部９ｃの上端には、梁２ｂ側に向かって延出されて覆い部９ｄが設けられている。覆い部９ｄは梁２ｂに向かって高さが高くなる傾斜面をなす覆い傾斜部９ｉと、覆い傾斜部９ｉの梁２ｂ側の端から垂設されて外壁２２と対向する外壁対向部９ｊと、外壁対向部９ｊの下縁から梁２ｂ側に突出する突起９ｋと、を有している。
【００３２】
外壁対向部９ｊと外壁２２との間には、下側にバックアップ材１４が設けられ、その上にシール材としてのシーリング材８が充填される。このため、外壁２２と外壁対向部９ｊとの間隔がバックアップ材１４のサイズ及びシーリング材８の充填に適した間隔をなるように、外壁対向部９ｊと固定部９ｃとの見込み方向の間隔が設定されている。より具体的には、外壁当接部材６の梁２ｂ側の端部が外壁２２に当接されている状態で、外壁当接部材６の鉛直板状部６ｂの外側の面にカバー部材９の固定部９ｃの梁２ｂ側の面が当接されてビス止めされたときに、外壁対向部９ｊが外壁２２に対して、シーリング材８が充填しやすく、充填されたシーリング材８により確実に止水可能な、適切な間隔を空けて配置されるように外壁対向部９ｊと固定部９ｃとの間隔が設定されている。また、外壁対向部９ｊの下端に設けられた突起９ｋはバックアップ材１４を位置決めし、また落下することを防止している。ここで、外壁対向部９ｊと外壁２２との間であって、突起９ｋより上に形成される空隙がシール材保持部２５に相当する。
【００３３】
固定部９ｃの上端には外側に向かって延出され覆い傾斜部９ｉと繋がった傾斜面を形成する外側延出部９ｌが設けられている。外側延出部９ｌは、下方に位置している上底部９ｅとともに、カバー部材９と外壁当接部材６とを接合しているビス１３の頭部１３ａを収容するビス収容部２６を形成しており、ビス収容部２６の外側の端部には、ビス収容部２６を塞ぐ目隠し部材２７が、外側延出部９ｌと上底部９ｅとに係止される。
【００３４】
本実施形態の斫り部２０の止水構造の施工方法を適用した耐震補強フレーム１の上の横材４の既存建物２への取付方法は、まず、図６（ｂ）に示すように、既存建物２の外壁２２において取り付けの対象となる部位のモルタル２ｄ及び木摺２ｃを斫る。このとき、木摺２ｃとほぼ同じサイズでラス及び防水シート２３も斫る。この状態で、木摺２ｃを斫った部位からは梁２ｂが露出しており、梁２ｂが露出している部位の周りを囲み、モルタル２ｄが斫られた部位の内側に、木摺２ｃの表面を覆ている防水シート２３及びラスが露出している部位が梁２ｂと段差を有して露出している。
【００３５】
次に、木摺２ｃを斫った部位を覆うように新たな防水シート２４を取り付ける。このとき、図６（ｃ）に示すように、木摺２ｃが斫られて形成された木摺凹部２ｅには合板２８を釘で打ち付けるとともに、木摺凹部２ｅの上端にて、既存の防水シート２３と木摺２ｃとの間に新たな防水シート２４の上端部を挿入し、木摺凹部２ｅの左右と下側には、既存の防水シート２３の外側に重なるように新たな防水シート２４を配置し、既存の防水シート２３と新たな防水シート２４との境界部分をシール材（不図示）で接着する。
【００３６】
次に、張出部材５を取り付ける。このとき、図６（ｄ）に示すように、張出部材５の鉛直壁部５ａ及び下端部５ｊが、木摺凹部２ｅを跨いで架け渡されるように木摺凹部２ｅの周縁部に配置された防水シート２３、２４に当接させる。そして、ビス挿通部５ｃにビス１０を進入させて梁２ｂに螺合し張出部材５を固定する。
【００３７】
次に、図６（ｅ）に示すように、耐震補強フレーム１の上の横材４に設けられた係合部４ｄを張出部材５のフック部５ｄに係合させ、ボルト挿通部５ｅ及びビス挿通部５ｃにボルト１１を進入させて梁２ｂに螺合し耐震補強フレーム１の取付部４ｃを固定する。
【００３８】
次に、図７（ａ）に示すように、張出部材５の張出部５ｂの下面に外壁当接部材６の水平板状部６ａの上面を当接させ、ビス１２を下方からビス螺合部５ｈに螺合させ、外壁当接部材６が張出部材５に対して見込み方向にスライド自在な状態で保持する。
【００３９】
次に、図７（ｂ）に示すように、外壁当接部材６を梁２ｂ側にスライドさせ、外壁当接部材６の梁２ｂ側の端６ｅを、左右方向の両側において外壁２２の外壁面２２ａに当接させて位置決めし、ビス１２を締め込んで外壁当接部材６を張出部材５に固定する。
【００４０】
次に、図７（ｃ）に示すように、カバー部材９の固定部９ｃの梁２ｂ側の面を、外壁当接部材６の鉛直板状部６ｂの外側の面に当接させ、外壁対向部９ｊと外壁２２との間にバックアップ材１４を介在させつつ、固定部９ｃを貫通したビス１３をビス螺合部６ｄに螺合して、カバー部材９を外壁当接部材６に固定する。
【００４１】
次に、図７（ｄ）に示すように、バックアップ材１４の上側にシーリング材８を充填し、ビス収容部２６に目隠し部材２７を嵌合し、斫り部２０の止水構造の施工が完了する。
【００４２】
本実施形態の斫り部２０の止水構造によれば、斫り部２０を覆うカバー部材９は、斫り部２０に取り付けられている張出部材５に固定される外壁当接部材６に固定されており、外壁当接部材６の梁２ｂ側の端６ｅは外壁２２の外壁面２２ａに当接されているので、カバー部材９を、外壁２２を基準とした位置に配置することが可能である。このため、張出部材５に固定されている外壁当接部材６にカバー部材９を取り付けるだけで、外壁２２との間に形成され、バックアップ材１４が設けられてシーリング材８が充填されるシール材保持部２５を適切に形成することが可能である。このため、外壁２２とカバー部材９の外壁対向部９ｊとの間をより確実にシールすることが可能である。すなわち、止水性及び施工性に優れた斫り部２０の止水構造を提供することが可能である。
【００４３】
また、外壁２２とカバー部材９との間をシールするシーリング材８の下方に張出部材５が張り出しているので、たとえ、シーリング材８が劣化等して漏水することがあったとしても張出部材５により既存建物２内に浸入することを防止することが可能である。このため、より止水性に優れた斫り部２０の止水構造を提供することが可能である。
【００４４】
また、外壁当接部材６は、張出部材５に対する見込み方向の位置の調節を可能とする切り欠き部６ｃを含む調節部を有しているので、外壁当接部材６の張出部材５に対する見込み方向の位置を調節することにより、図８（ａ）〜図８（ｃ）に示すように、外壁２２をなすモルタル２ｄの厚みＴ１〜Ｔ３、すなわち、外壁２２を斫った斫り部２０の深さＤ１〜Ｄ３が互いに異なる外壁２２であっても、外壁当接部材６を外壁２２に当接させて張出部材５に固定することが可能である。このため、斫り部２０の深さが互いに異なる外壁２２であっても、外壁対向部９ｊを外壁２２に対して一定の位置に配置することが可能であり、外壁対向部９ｊと外壁２２との間をより確実に止水することが可能である。このため、より汎用性に優れた斫り部２０の止水構造を提供することが可能である。
【００４５】
また、外壁当接部材６の外壁２２に対する見込み方向の位置を調節するための調節部を、見込み方向に長く形成されてビス１０が貫通可能な切り欠き部６ｃとしたので、容易に形成することが可能であり、且つ、安価に汎用性に優れた斫り部２０の止水構造を実現することが可能である。
【００４６】
また、外壁当接部材６を張出部材５に固定するビス１２が螺合されるビス螺合部５ｈは、ビス螺合部５ｈより梁２ｂ側に位置させ平坦部５ｇにおいてビス螺合部５ｈが設けられる領域と、傾斜部５ｆとこの傾斜部５ｆと繋がった平坦部５ｇの一部を含む領域とを仕切る仕切壁５ｉにより仕切られている。このため、たとえ、張出部材５の上方にて外壁２２とカバー部材９との間に設けられているシーリング材８が劣化や損傷等により、漏水したとしても、漏水した水がビス孔６ｄから浸入して内部に至ることを防止することが可能である。このため、より止水性に優れた斫り部２０の止水構造を提供することが可能である。
【００４７】
また、外壁当接部材６は、梁２ｂ側の端６ｅを斫り部２０の左右方向における両側にて外壁２２に当接されるので、外壁当接部材６を外壁２２の外壁面２２ａに対して傾くことなく取り付けることが可能である。このため、外壁当接部材６に固定されるカバー部材９も外壁２２の外壁面２２ａに対して適切な姿勢で適切な位置に配置される。このため、カバー部材９と外壁２２との間隔が適切に空けられるので、外壁対向部９ｊと外壁２２との間をより確実に止水することが可能である。よって、より優れた止水性を備えることが可能である。
【００４８】
上記実施形態においては、斫り部２０を、耐震補強フレーム１を取り付けるために斫った斫り部２０としたが、必ずしも耐震補強フレーム１を取り付けるための斫り部でなくとも構わない。
上記実施形態においては、調節部を構成するビス貫通部を切り欠き部６ｃとしたが、見込み方向に長い長孔であっても構わない。
【００４９】
また、上記実施形態においては、張出部材５が耐震補強フレーム１が係合されるアタッチメントとしての機能を有する例について説明したが、これに限らず、斫り部に取り付けられる部材と係合される等の機能等を有しておらず、単に張出部が設けられた張出部材であっても構わない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  耐震補強フレーム、２  既存建物、２ｂ  梁、４  横材、５  張出部材、
５ｈ  ビス螺合部、５ｉ  仕切壁、６  外壁当接部材、６ｃ  切り欠き部、
６ｄ  ビス螺合部、８  シーリング材、９  カバー部材、１２  ビス、
２５  シール材保持部 
【図１】
2018066219.tif 000003
【図２】
2018066219.tif 000004
【図３】
2018066219.tif 000005
【図４】
2018066219.tif 000006
【図５】
2018066219.tif 000007
【図６】
2018066219.tif 000008
【図７】
2018066219.tif 000009
【図８】
2018066219.tif 000010